(57)【特許請求の範囲】
【請求項１】
電子機器に電力を供給する二次電池と、
前記二次電池の充電制御を行う制御部と、
前記二次電池の電池容量が満充電になると充電不可状態であることを記憶し、前記二次電池の電池容量が充電設定容量より小さくなると充電可能状態であることを記憶する記憶部とを備え、
前記制御部は、シャットダウンして再起動したとき、前記記憶部が充電不可状態であることを記憶していると前記二次電池の充電を行わないことを特徴とするパック電池。
【請求項２】
前記制御部は、シャットダウンして再起動したとき、前記記憶部が充電可能状態であることを記憶していると前記二次電池の充電を行うことを特徴とする請求項１に記載のパック電池。
【請求項３】
前記制御部は、前記電子機器、又は、当該パック電池に備えられたスイッチからシャットダウン信号を受信してシャットダウンすることを特徴とする請求項１又は２に記載のパック電池。
【請求項４】
電子機器に電力を供給する二次電池と、
前記二次電池の充電制御を行う制御部と、
前記二次電池の電池容量が満充電になると充電不可状態であることを記憶し、前記二次電池の電池容量が充電設定容量より小さくなると充電可能状態であることを記憶する記憶部とを備えたパック電池の充電方法であって、
前記制御部がシャットダウンして再起動したとき、前記記憶部が充電不可状態であることを記憶していると前記二次電池の充電を行わないことを特徴とする充電方法。
【請求項５】
前記制御部がシャットダウンして再起動したとき、前記記憶部が充電可能状態であることを記憶していると前記二次電池の充電を行うことを特徴とする請求項４に記載の充電方法。
【請求項６】
前記制御部が前記電子機器、又は、当該パック電池に備えられたスイッチからシャットダウン信号を受信してシャットダウンすることを特徴とする請求項４又は５に記載の充電方法。
【発明の詳細な説明】
【技術分野】
【０００１】
本発明は、充電制御を行う制御部がシャットダウンされることがあるパック電池、及び、充電方法に関するもので、特に、制御部がシャットダウン後の起動時に満充電付近では充電を禁止するものである。
【背景技術】
【０００２】
従来の特許文献１に記載される充電方法において、リチウムイオン電池などの二次電池が満充電になった後、パック電池は電池残容量が所定の残容量（例えば、９５％以下）になるまで、充電を禁止する指示情報を、パーソナルコンピュータ（ＰＣ）等の電子機器、充電器側に出力している。これにより、パック電池は、満充電付近で充電が繰り返されることを止め、二次電池のサイクル劣化等を防止している。
【先行技術文献】
【特許文献】
【０００３】
【特許文献１】特開２００５−３５１８７０号公報
【発明の概要】
【０００４】
電池内蔵型のパーソナルコンピュータ（ＰＣ）等の電子機器においては、電子機器の安全性を高める等の理由から、電子機器内のパック電池の制御を行うマイコンを、シャットダウンさせるボタンを備えるものがある。このようなボタンは、ユーザーが、操作するものである。
【０００５】
パック電池はシャットダウンされて再起動されると、シャットダウン前が充電中、或いは、放電中に関わらず、満充電でない場合は再充電を行うこととなる。そのため、満充電からの放電を開始してすぐにシャットダウンされた場合、パック電池は再起動後満充電付近での再充電を行ってしまう。
【０００６】
本発明は、この問題を解決することを目的に開発されたものである。本発明の重要な目的は、電子機器内のパック電池の制御を行うマイコンを、シャットダウンさせることができるパック電池において、満充電付近の充電禁止容量領域でのシャットダウン後の起動時に再充電を禁止し、二次電池のサイクル劣化等を防止するパック電池、及び、充電方法を提供することにある。
【０００７】
本発明のパック電池は、電子機器に電力を供給する二次電池と、前記二次電池の充電制御を行う制御部と、前記二次電池の電池容量が満充電になると充電不可状態であることを記憶し、前記二次電池の電池容量が充電設定容量より小さくなると充電可能状態であることを記憶する記憶部とを備え、前記制御部は、シャットダウンして再起動したとき、前記記憶部が充電不可状態であることを記憶していると前記二次電池の充電を行わないことを特徴とする。
【０００８】
本構成によって、満充電付近の充電禁止容量領域でのシャットダウン後の起動時に再充電を禁止することとなる。
【０００９】
また、本発明の充電方法は、電子機器に電力を供給する二次電池と、前記二次電池の充電制御を行う制御部と、前記二次電池の電池容量が満充電になると充電不可状態であることを記憶し、前記二次電池の電池容量が充電設定容量より小さくなると充電可能状態であることを記憶する記憶部とを備えたパック電池の充電方法であって、前記制御部は、シャットダウンして再起動したとき、前記記憶部が充電不可状態であることを記憶していると前記二次電池の充電を行わないことを特徴とする。
【００１０】
制御部がシャットダウンされて再起動するとき、満充電検出した後、充電設定容量まで低下していないときは、充電をすることはない。よって、二次電池のサイクル劣化等を防止することができる。
【図面の簡単な説明】
【００１１】
【図１】本発明の一実施例にかかるパック電池の概略構成図である。
【図２】本発明の一実施例にかかるパック電池の充電のフローチャートである。
【図３】本発明の一実施例にかかるパック電池の二次電池の残容量を表す図である。
【図４】従来のパック電池の二次電池の残容量を表す図である。
【図５】本発明の他の実施例にかかるパック電池の概略構成図である。
【発明を実施するための形態】
【００１２】
以下、本発明の実施例を図面に基づいて説明する。
【００１３】
図１は、本発明の実施例にかかるパック電池の概略構成図である。図１に示すパック電池１０は、パック電池１０を充電する電源を備える電子機器２０に脱着できるようにセットされる。例えば、電子機器２０はノート型のような携帯型パーソナルコンピュータである。または、パック電池１０は、外ケースがなく、電子機器２０に内蔵されるタイプでも良い。電子機器２０は、コンセントからの交流商用電力を直流電力に変換する電源アダプタ（図示せず）を接続している。電源アダプタは、直流電力を電子機器２０に供給する。電子機器２０は、供給される直流電力を制御するマイコン内蔵の制御・電源部２１を備えている。制御・電源部２１は、パック電池１０に直流電力を出力し、また、電子機器２０の負荷２２に電力を供給する。電源アダプタから交流商用電力が供給されない場合は、パック電池１０より電子機器２０に直流電力が供給される。
【００１４】
図１に示すパック電池１０は、複数の二次電池１を並列に接続して並列ユニット２としている。さらに複数の並列ユニット２が直列に接続されて電池群３としている。さらにパック電池１０は、電池群３に流れる充放電の電流と、各々の並列ユニット２の電圧を検出する電流・電圧検出部４と、電流・電圧検出部４で検出される電流と電圧から並列ユニット２の異常を判定する制御・演算部５とを備える。
【００１５】
並列ユニット２の二次電池１は、リチウムイオン二次電池である。ただし、二次電池１は、ニッケル水素電池、またはニッケルカドミウム電池などの充電できる他の電池とすることもできる。図１のパック電池は、並列ユニット２として３個の二次電池１を並列に接続している。ただし、本発明のパック電池１０は、並列ユニットに２個の二次電池１を並列に接続し、あるいは４個以上の二次電池１を並列に接続することもできる。並列ユニット２は、金属板あるいはリード線である接続タブ７を介して並列に接続される。
【００１６】
電流・電圧検出部４は、電池群３の電流を検出する電流検出部８と、入力される電流信号と、電圧信号を所定のサンプリング周期で切り換えて出力するマルチプレクサ６と、このマルチプレクサ６から出力されるアナログ信号をデジタル信号に変換して、制御・演算部５に出力するＡ／Ｄコンバータ９とを備える。
【００１７】
電流検出部８は、図示しないが、電池群３と直列に接続している電流検出抵抗と、この電流検出抵抗の両端の電圧を増幅するアンプとを備える。アンプの出力電圧は、電池群３に流れる電流に比例する。したがって、アンプの出力電圧から電池群３からの電流値を検出することができる。また、電池群３の充電電流と放電電流は流れる方向が逆になるので、充電電流と放電電流ではアンプの出力電圧の極性、すなわち正負が逆になる。アンプが、放電電流を正の出力電圧とすれば、充電電流は負の出力電圧となる。したがって、アンプから出力される信号の正負で充電電流と放電電流を識別できる。
【００１８】
さらに、図１のパック電池１０は、二次電池１の温度を検出する温度検出部１１を備えている。この温度検出部１１は、二次電池１に密接して配設されるサーミスタ等の温度センサ１２を備える。また、温度検出部１１は、温度センサ１２の電気抵抗の変化を電圧の変化に変換する温度−電圧変換回路も内蔵している。この温度−電圧変換回路から出力される信号から二次電池１の温度を検出する。
【００１９】
マルチプレクサ６は、電流検出部８から出力される電流信号と、各々の並列ユニット２の電圧信号を順番に切り換えて、Ａ／Ｄコンバータ９に出力する。図１のパック電池１０は、３組の並列ユニット２を直列に接続している。したがって、マルチプレクサ６は、電流検出部８の電流信号、３組の並列ユニット２の電圧信号を、所定のサンプリング周期で順番に切り換えて、Ａ／Ｄコンバータ９に出力する。図１のマルチプレクサ６は、１チャンネルの電流信号と、３チャンネルの電圧信号を切り換えるので、４チャンネル以上の入力を順番に切り換えられるものが使用される。ただ、温度検出部１１から出力される温度信号もＡ／Ｄコンバータでデジタル信号に変換するパック電池１０は、５チャンネルのマルチプレクサを使用する。
【００２０】
マルチプレクサ６は、複数チャンネルの入力を、１６（ｍｓｅｃ）のサンプリング周期で切り換えて、Ａ／Ｄコンバータ９に出力する。ただし、マルチプレクサ６のサンプリング周期は、１〜５００（ｍｓｅｃ）とすることもできる。サンプリング周期を短くして、電池群３の電流、温度、電圧の変化を速やかに検出できる。したがって、マルチプレクサ６のサンプリング周期は、部品コストと電流や電圧が変化する状態を考慮して前述の範囲に設定される。
【００２１】
Ａ／Ｄコンバータ９は、マルチプレクサ６から入力されるアナログ信号をデジタル信号に変換して出力する。Ａ／Ｄコンバータ９は、マルチプレクサ６が入力を切り換えるタイミングに同期して、入力されるアナログ信号をデジタル信号に変換する。したがって、Ａ／Ｄコンバータ９は、マルチプレクサ６が入力を切り換える毎に入力されるアナログ信号をデジタル信号に変換して出力する。すなわち、マルチプレクサ６が入力を切り換えた後、Ａ／Ｄコンバータ９が入力信号をデジタル信号に変換し、その後、マルチプレクサ６が入力を切り換える動作を繰り返して、入力信号をデジタル信号に変換する。
【００２２】
Ａ／Ｄコンバータ９の出力は、制御・演算部５に入力される。Ａ／Ｄコンバータ９から制御・演算部５に入力されるデジタル信号は、電池群３に流れる充放電の電流値を示す電流信号、並列ユニット２のプラス側の電圧である電圧信号である。温度信号を検出するパック電池１０は、この電圧信号に加えて、二次電池１の温度を示す温度信号も出力される。これらの信号は、マルチプレクサ６とＡ／Ｄコンバータ９のサンプリング周期、すなわち５０（ｍｓｅｃ）周期で制御・演算部５に入力される。制御・演算部５は、入力される信号を演算し、各々の並列ユニット２の異常を判定する。
【００２３】
さらに、マイコンを含む制御・演算部５は、電池群３の充放電電流を積算して残容量を演算処理し、充電電流や電池電圧から電池の満充電を検出し、また異常電流、異常温度、異常電圧等を検出して、充放電を制御する。スイッチングトランジスタ等からなる制御素子１３は、制御・演算部５でオンオフ制御され、異常電流、異常温度、異常電圧の検出時に、オフに切り換えられて電流を遮断する。
【００２４】
制御・演算部５は、Ａ／Ｄコンバータ９によって変換された充放電電流に、サンプリング周期（例えば、５０ｍｓｅｃ）を掛け算した値を積算し、放電時においては満充電から積算量を引き算し、あるいは、充電時においては充電開始時の残容量に積算量を加算する。このような演算により、電池群３の残容量を算出している。
【００２５】
また、制御・演算部５は、メモリとして、不揮発性メモリであるＥＥＰＲＯＭ（Electrically Erasable Programmable ＲＯＭ）又はFlash Memoryを備えている。これらのＥＥＰＲＯＭ又はFlash Memoryには、制御・演算部５にシャットダウンが発生しても保存が必要なデータ（例えば、学習容量、サイクル数、測定された温度の最大値、最小値、異常時のデータ（例えば、過充電時の温度、電圧、電流等）等）などをシャットダウンより前に記憶するとともに、これらを随時書き換えることが可能となっている。更に、後述するように、本実施例においては、満充電検出フラグ（１又は０）の情報を、制御・演算部５は、不揮発性メモリに保存する。また、制御・演算部５がメモリを内部に備えていなくてもよく、制御・演算部５からの指示に基づいて、書き換えられるように設けられたメモリであってもよい。
【００２６】
また、制御・演算部５は、電池群３の電圧を検出して満充電を検出する。ニッケル水素電池やニッケルカドミウム電池の場合は、ピーク電圧を検出し、あるいは電池電圧のピーク電圧からの−ΔＶ（＝電圧低下）を検出して、満充電を検出できる。このパック電池１０は、直列に接続している電池群３の電池電圧から電池の満充電を検出できる。ただし、並列ユニット２の電池電圧を検出して、各々の並列ユニット２の満充電を検出するとしてもよい。
【００２７】
二次電池１をリチウムイオン電池とするパック電池１０は、電流、電圧を規制した定電流充電（最大充電電流：０．５〜１Ｃ程度）・定電圧充電（最大充電電圧：４．２Ｖ×並列ユニット２の個数程度）を利用し、電池群３の電池電圧が所定値以上、充電電流が所定値以下の条件のとき、満充電と判定する。制御・演算部５は、電池群３の満充電を検出すると、充電用の制御素子１３である充電用ＦＥＴ１３Ａをオフに切り換えて充電を停止すると共に、残容量を１００％とする情報を通信処理部１４から出力する。満充電の情報は、通信ライン１５を介して、電子機器２０に送信される。
【００２８】
図１のパック電池１０は、電池群３と直列に、制御素子１３として、Ｐチャンネル型ＦＥＴである充電用ＦＥＴ１３Ａと放電用ＦＥＴ１３Ｂを接続している。Ｐチャンネル型のＦＥＴは、”Ｈｉｇｈ”電圧を入力してオフに切り換えられる。このパック電池１０は、二次電池１をリチウムイオン二次電池とする場合、いずれかの並列ユニット２の電圧が、リチウムイオン二次電池の過充電電圧である、例えば、４．２（Ｖ）以上になると、充電用ＦＥＴ１３Ａをオフに制御する。したがって、この状態になると、制御・演算部５は、充電用ＦＥＴ１３Ａのゲートにオフ信号の”Ｈｉｇｈ”電圧を入力する。オフ状態にある充電用ＦＥＴ１３Ａは、寄生ダイオードによって放電電流を流すことができる。したがって、充電用ＦＥＴ１３Ａがオフの状態で電池は放電できる。この状態で、電子機器２０に電池群３から放電されて電池群３の電池電圧が低下すると、充電用ＦＥＴ１３Ａはオンに切り換えられる。
【００２９】
また、パック電池１０は、いずれかの並列ユニット２の電池電圧が、リチウムイオン二次電池の過放電電圧である、例えば、２．７Ｖ以下になると、放電用ＦＥＴ１３Ｂをオフ制御する。したがって、この状態になると、制御・演算部５は、放電用ＦＥＴ１３Ｂのゲートに、オフ信号である”Ｈｉｇｈ”電圧を入力する。オフ状態にある放電用ＦＥＴ１３Ｂは、寄生ダイオードによって充電電流を流すことができる。したがって、放電用ＦＥＴ１３Ｂがオフの状態で電池は充電できる。この状態で、電子機器２０から電池群３が充電されて電池群３の電池電圧が上昇すると、放電用ＦＥＴ１３Ｂはオンに切り換えられる。なお、ｐチャネル型ＦＥＴに代わって、チャージポンプを利用してｎチャネル型ＦＥＴの充電用ＦＥＴ素子、放電用ＦＥＴ素子を利用することも可能である。
【００３０】
更に、制御・演算部５においては、以下の機能を備えている。リチウムイオン電池等の二次電池１は、満充電電圧付近で充電を繰り返すと、二次電池１のサイクル劣化が促進されることにより、悪影響が発生する。このような問題を回避するために、本実施例においては、制御・演算部５において、満充電検出後、所定の残容量（例えば９５％以下）或いはこれに対応する所定の電圧（例えば４Ｖ／cell）に低下するまでは（満充電付近の充電禁止容量領域）、充電を禁止する指示情報を、通信処理部１４を介して、電子機器２０、充電器側に出力している。
【００３１】
本実施例においては、電子機器２０の安全性を高める等の理由から、電子機器２０内のパック電池の制御を行う制御・演算部５を、シャットダウンさせることができるシャットダウンスイッチ３０を備えている。
【００３２】
シャットダウンスイッチ３０は、二次電池１の高電位側の供給ラインから分岐されて接続されたレギュレータ３５からの電圧を、抵抗Ｒを介して、接続点で接続され、シャットダウンスイッチ３０に接続され、この後、マイナス側ラインに接続される。
【００３３】
シャットダウンスイッチ３０は、ユーザーが操作するスイッチであり、電子機器２０の外ケースに設置され、通常は、ノーマルクローズ状態である。従って、抵抗Ｒのシャットダウンスイッチ３０側に接続された信号ライン３１は、通常、マイナス側ラインの電位となることより、制御・演算部５には、低電圧の信号が入力される。
【００３４】
ユーザーが、シャットダウンスイッチ３０を、動作させ、一時的にオフ状態（オープン状態）、例えば、ボタンを所定時間以上押すと、信号ライン３１には、レギュレータ３５からの高電位が印加され、制御・演算部５には、高電圧の信号が入力される。この高電圧の信号により、マイコンを含む制御・演算部５はシャットダウンされる。この後、電源アダプタからの電圧印加により、制御・演算部５は再起動される。シャットダウンスイッチ３０は、ノーマルクローズ状態であるが、パック電池１０を、電子機器２０に着脱式にするとき、装着時に、信号ライン３１は低電圧の信号が入力されて、装着を検出することができる。
【００３５】
電子機器２０である携帯型ＰＣに脱着できるようにセットされるパック電池１０においては、パック電池１０の外ケースの一部を、電子機器２０の外側に表れるようにして、このパック電池１０の外部に現れた部分に、シャットダウンスイッチ３０を配置しても良い。
【００３６】
この例を、図５に示す。図５は、本発明の他の実施例にかかるパック電池の概略構成図である。図５においては、二次電池１の高電位側の供給ラインから分岐されて接続されたレギュレータ３５からの電圧を、抵抗Ｒを介して、シャットダウンスイッチ３０ｂを接続し、そして、シャットダウンスイッチ３０ｂの他方をマイナス側ラインに接続している。シャットダウンスイッチ３０ｂは、ユーザーが操作するスイッチであり、携帯型ＰＣの外側に表れるパック電池１０の外ケースの一部に設けられる。通常は、ノーマルオープン状態である。従って、抵抗Ｒのシャットダウンスイッチ３０ｂ側に接続された信号ライン３１は、通常、レギュレータ３５からの電位となることより、制御・演算部５には、高電圧の信号が入力される。
【００３７】
ユーザーが、シャットダウンスイッチ３０ｂを、動作させ、一時的にオン状態（クローズ状態）、例えば、ボタンを所定時間以上押すと、信号ライン３１には、マイナス側ラインからの低電位が印加され、制御・演算部５には、低電圧の信号が入力される。この低電圧の信号により、マイコンを含む制御・演算部５はシャットダウンされる。この後、電源アダプタからの電圧印加により、制御・演算部５は再起動される。シャットダウンスイッチ３０ｂは、ノーマルオープン状態であるので、消費電力を低減することができる。
【００３８】
次に、本実施例のフローについて説明する。図２は、本発明の実施例にかかるパック電池の充電のフローチャートである。本実施例は、図２のフローチャートの手順にて、パック電池１０の電池群３の充電が行われる。
【００３９】
ステップ１にて、電池群３の充電処理が進められ、ステップ２にて、電池群３が満充電状態であるかどうか検出され、満充電検出フラグが１（満充電状態になった）か０（満充電状態から再充電設定容量より小さくなった）か、（換言するなら、制御・演算部５の不揮発性メモリに満充電検出フラグが保存されているかどうか）を判定し、０（又は、満充電検出フラグなし）であるなら、ステップ３に進んで電池群３の充電を継続する。ステップ２にて、満充電検出フラグが１（または、満充電検出フラグあり）であるなら、後述するように、ステップ６に進む。
【００４０】
ステップ４においては、電池群３の満充電を検出したかどうかを判定する。電池群３の満充電を検出していない場合は、ステップ３に戻って、電池群３の充電を継続する。また、電池群３の満充電を検出したとき、ステップ５にて、満充電検出フラグを１（又は、満充電検出フラグを立てる）とする。
【００４１】
その後、ステップ６において、電池群３の電池残容量が、再充電設定容量未満かどうかを判定する。電池群３の電池残容量が、再充電設定容量未満であるなら、ステップ７にて、満充電検出フラグを０（又は、満充電検出フラグをクリアする）とし、制御・演算部５が通信処理部１４を介して、充電許可の信号を、電子機器２０、充電器側に出力する。また、ステップ６において、電池群３の電池残容量が、再充電設定容量以上であるなら、ステップ６に戻り、ステップ６を継続する。
【００４２】
そして、本実施例においては、満充電検出フラグ（１又は０）の情報を、制御・演算部５は、不揮発性メモリに保存している。
【００４３】
ここで、ステップ６において、電池群３の電池残容量が、再充電設定容量以上であって、ステップ６を継続するとき、ユーザーによりシャットダウンスイッチ３０が動作させられ、制御・演算部５がシャットダウンされる。その後、電源アダプタからの電圧印加により、制御・演算部５が再起動される。このとき、本実施例においては、制御・演算部５が起動して動作するとき、電池群３の電池電圧の回路開放電圧（ＯＣＶ）を検出して、回路開放電圧と電池残容量の関係より、電池残容量（％）を得る。
【００４４】
このとき、電池残容量が再充電設定容量以上のとき、制御・演算部５は、不揮発性メモリに保存された満充電検出フラグ（＝１）の情報を読み取ることより、図３の矢印に示すように、満充電検出した後、再充電設定容量（９５％）まで低下していないとして、充電は行わない。よって、満充電付近での再充電を行わないので、二次電池のサイクル劣化を防止することができる。ここで、起動時の電池残容量（％）を電池電圧より得ているが、これに代わって、不揮発性メモリに保存されるシャットダウン直前の電池残容量（％）であっても良い。
【００４５】
一方、比較例として、図４に示すように、従来のパック電池では、電池群の満充電を検出したかどうかを示す満充電検出フラグをメモリに保存しない場合は、以下の動作となる。電池残容量が、再充電設定容量以上であって、ステップ６をループするとき、ユーザーによりシャットダウンスイッチ３０が動作させられ、制御・演算部５がシャットダウンされる。その後、電源アダプタからの電圧印加により、制御・演算部が再起動される。このとき、比較例においては、制御・演算部が起動して動作するとき、電池電圧の回路開放電圧を検出して、回路開放電圧と電池残容量の関係より、電池残容量（％）を得る。このとき、電池残容量が再充電設定容量以上のときであっても、満充電でないので、充電を開始する。図４に示すように、電池残容量（％）が再充電設定容量以上であるとき、シャットダウンスイッチ３０が繰り返し動作されるとき、満充電状態１００％以下と、再充電設定容量９５％以上の間で、充電が繰り返されることより、二次電池のサイクル劣化が発生する。
【００４６】
かかる構成によれば、制御・演算部５の揮発性メモリに満充電検出フラグが立っているときに、制御・演算部５がシャットダウンされたとしても、電池群３の電池残容量が再充電設定容量以上であると再充電を行わないので、二次電池１のサイクル劣化を防止することができる。
【００４７】
なお、本実施例において、電子機器２０又はパック電池１０にシャットダウンスイッチ３０、３０ｂを備えるとしたが、シャットダウンスイッチを備えない場合でも同様の効果を得ることができる。例えば、電子機器２０又はパック電池１０の不具合などにより、制御・演算部５がシャットダウンされたとき、満充電検出フラグを保存していることにより、シャットダウンの再起動後に満充電検出フラグが１のとき充電を行わないので、満充電付近の充電禁止容量領域での再充電を禁止することができる。
【００４８】
なお、本実施例において、制御・演算部５の揮発性メモリに満充電検出フラグを１（満充電状態になった）、又は、０（満充電状態から再充電設定容量未満になった）と保存するとしたが、制御・演算部５の揮発性メモリに充電可否フラグを１（充電不可状態）、又は、０（充電可能状態）と保存するとしてもよい。この場合、図２と同じ条件でフローを進め、満充電状態になった後から再充電設定容量以上の期間を充電可否フラグ＝１とし、再充電設定容量未満になった時を充電可否フラグ＝０としている。
【産業上の利用可能性】
【００４９】
本発明にかかるパック電池、及び、充電方法は、満充電付近の充電禁止容量領域でのシャットダウン後の起動時に再充電を禁止し、二次電池のサイクル劣化等を防止することができるので、制御部をシャットダウンさせる電子機器用のパック電池等として有用である。
【符号の説明】
【００５０】
１…二次電池
２…並列ユニット
３…電池群
４…電流・電圧検出部
５…制御・演算部
６…マルチプレクサ
７…接続タブ
８…電流検出部
９…Ａ／Ｄコンバータ
１０…パック電池
１１…温度検出部
１２…温度センサ
１３…制御素子
１３Ａ…充電用ＦＥＴ
１３Ｂ…放電用ＦＥＴ
１４…通信処理部
１５…通信ライン
２０…電子機器
２１…制御・電源部
２２…負荷
３０…シャットダウンスイッチ
３０ｂ…シャットダウンスイッチ
【図１】
0005958640.tif 000002
【図２】
0005958640.tif 000003
【図３】
0005958640.tif 000004
【図４】
0005958640.tif 000005
【図５】
0005958640.tif 000006